(57)【要約】      （修正有）【課題】著しく変形した自分の顔の映像を見ることで、純粋に笑いを喚起させ、高い興趣が得られる変顔鏡遊び用ミラーを提供する。【解決手段】ミラー本体１を樹木あるいは合成樹脂により柄１ａと枠１ｂが手鏡様に一体的に成形する。ミラー２の外形は円形で、その鏡面に不整な凹凸部３を設け、映った画像が歪んで見えるようにする。ミラー２を枠１ｂの内周溝に回転自在に嵌め込み、ハンドルを使ってミラー２を回転可能に保持する。【選択図】図１
0003154560.tif 000002
【実用新案登録請求の範囲】
【請求項１】
鏡面に不整な凹凸を設けて映像が歪むようにしたことを特徴とする変顔鏡遊び用ミラー。
【請求項２】
鏡面を回転可能にしたことを特徴とする請求項１記載の変顔鏡遊び用ミラー。
【考案の詳細な説明】
【技術分野】
【０００１】
本考案は、鏡面に映った変形した自分の顔を見て楽しむための変顔鏡遊び用ミラーに関するものである。
【背景技術】
【０００２】
従来から、凸面鏡や凹面鏡により顔を映すと、例えば、顔の中心である鼻の部分が拡大したり飛び出したりして著しく変化した自己の顔に愉快な感覚が生じることは知られている。このようなミラーの性質を利用して、凹凸面に湾曲自在な鏡を弾性薄板で構成して、それに映るカードの模様を拡縮変化させるようにした鏡映し絵玩具（例えば、特許文献１参照。）や同様の構造で人形遊び、ハウス遊び等と関連して使用される鏡玩具（例えば、特許文献２参照。）、他にも鏡面に自分の顔を映したときに、鏡面の周縁部の形状が自分の瞳に映って見え、あたかも自分がアイドルやアニメのキャラクターになったかのような感覚を味わうことができる玩具鏡台（例えば、特許文献３）等が提案されている。
【先行技術文献】
【特許文献】
【０００３】
【特許文献１】実公昭６１−２４３１６号公報
【特許文献２】実公平６−３０２４０号公報
【特許文献３】実用新案登録第３０９６３７９号公報
【考案の開示】
【考案が解決しようとする課題】
【０００４】
従来の鏡を使った玩具には、他にも三面鏡などを小型化したものなどが女児用玩具に見られるが、鏡の構造は実物と変わらず、変化に乏しい。また、確かに鏡を使用した玩具類は少なくはないが、微小な表示や図柄を拡大するものや反射光効果を利用するものがほとんどである。例えば、実開平７−４９８号公報に記載のものは平滑な鏡面に凹部をヒケによって形成し、ヒケによる像を投映するということを特徴とし、実用新案登録第３０２０６０５号公報に記載のものは両凸レンズの１球面に凹面鏡としての反射面を設けることにより拡大された虚像を観察し得るようにしたものである。しかしながら、これらは原理的な知育玩具であり、純粋に遊びとしての笑いを求めるものとしての魅力には乏しい。
【０００５】
本考案は従来の前記実情から創作されたもので、著しく変形した自分の顔の映像を見ることで、純粋に笑いを喚起させ、高い興趣が得られる変顔鏡遊び用ミラーを提供することを目的とする。
【課題を解決するための手段】
【０００６】
そこで本考案の変顔鏡遊び用ミラーは、鏡面に不整な凹凸を設けて映像が歪むようにしたことを第１の特徴とする。また、鏡面を回転可能にしたことを第２の特徴とする。
【考案の効果】
【０００７】
本考案は、鏡の不整な凹凸面に映った顔の映像が歪んで変形して見えることで笑いを喚起することができる。また、ミラーを回転させることで映像は更に著しく変化し、興趣に富んだ変顔鏡遊びができるという効果を奏する。
【考案を実施するための最良の形態】
【０００８】
以下、本考案の実施の形態を図面に示す実施例に基づいて説明する。
図１は本考案の変顔遊び用ミラーに係る一実施例を示す斜視図、図２は図１の平面断面図、図３は本考案の変顔遊び用ミラー鏡面の他の実施例を示す斜視図である。
【実施例】
【０００９】
図１乃至図２に示すように、本考案のミラー本体１は、樹木あるいは合成樹脂により柄１ａと枠１ｂが手鏡様に一体的に成形されている。鏡板２の外形は円形で、その鏡面には不整な凹凸部３が設けられ映った画像が歪んで見えるようにされている。柄１ａと枠１ｂの材料としては、ポリエステル、ポリウレタン、ＡＢＳ等のプラスチック、合成ゴム等も挙げられるが、耐溶剤性、衛生面等を考慮するとポリエステルが好ましい。
【００１０】
すなわち、鏡板２の表面には、映像が外向きに拡大し且つ引き込んで見える凹部３ａと、映像が中央に縮小し且つ飛び出して見える凸部３ｂや膨条部３ｃが、その高さや径が各々異なる乱雑な形状にされている。したがって、平滑で一様な反射をする鏡面では得られない、部分ごとに乱れた映像を作り出すものである。このような不正な鏡面に顔を映すと、著しく変形した映像によって自ずと笑いが喚起され、興趣が高まる。
【００１１】
さらに、本考案では、鏡板２を枠１ｂの内周溝４に回転自在に嵌め込んで保持してあり、ハンドル５を使って鏡板２を回転させることで、映像は更に著しく変化し、さらに面白く変化に富んだ映像が得られる。
【００１２】
ここで、従来、鏡はガラス面の一面に銀メッキやアルミニウム等の金属を蒸着して製造されるが、ガラス製の基体の表面に凹凸部３を形成するのは甚だ難しい、またガラスの鏡は割れやすく、破損した場合、利用者を負傷させる危険があり、安全性に問題がある。また、重量も大きい。したがって、ミラーの基体としては、勿論ガラスを金型成形したようなものでもよいが、軽量性や加工性を考慮すると、アクリル樹脂等のプラスチックが好ましい、また、落書き等で鏡面を汚れた場合の耐溶剤性や食品衛生上も特に害がないという点も考慮すると上記したポリエステルが好ましい。
【００１３】
本発明の鏡面を得る方法については特に限定されるものではないが、鏡面特性に優れ、製造工程が容易であり、製造に要する経済性を考慮し、例えば、金属を蒸着したフィルムを鏡面層とする方法が考えられる。この方法を採れば、ポリエステルシートに直接、クロムメッキ等により鏡面を施す必要が無くなるため、蒸着時の熱変形が発生しないので好ましい。ここで、蒸着する金属の種類としては、通常、アルミニウムや銀が挙げられる。
【００１４】
本考案の変顔遊び用ミラーは、目的物を凹面鏡により拡大して目視可能なものであり、拡大して観察という点では髭剃り用ミラー等と共通性がある。しかし本考案は、映像を著しく変形せしめることを特徴とする。それゆえ、玩具としての興趣を高めることができるものである。
【産業上の利用可能性】
【００１５】
尚、本考案の要旨は、鏡の不整な凹凸面に映った顔の映像が歪んで変形して見える玩具としてのミラーを提供することにあり、本考案の主たる構成要件を有する限り、上記実施例に限定されることなく種々の応用変形が可能であることは言うまでもない。例えば、図３に示すように、鏡面形状は幾何学的な凹凸形状にしてもよい、また、据付型の比較的巨大なオブジェとしてもよいし、形態電話用ストラップなどのアクセサリーのような極小なものとしてもよい。
【図面の簡単な説明】
【００１６】
【図１】本考案の変顔鏡遊び用ミラーに係る一実施例を示す斜視図である。
【図２】図１の平面断面図である。
【図３】本考案の変顔鏡遊び用ミラー鏡面の他の実施例を示す斜視図である。
【００１７】
１    ミラー本体
１ａ  枠
１ｂ  柄
２    鏡板
３    不正な凹凸部（鏡面）
３ａ  凹部
３ｂ  凸部
３ｃ  膨条部
４    ハンドル
５    内周溝
【図１】
0003154560.tif 000003
【図２】
0003154560.tif 000004
【図３】
0003154560.tif 000005